(57)【要約】【課題】  一つの記録媒体において、複数のアプリケーションからのアクセスを行う場合、通常複数の領域に分割する。この領域分割をパーティションにより分割管理した場合、パーティションのサイズを容易に変更することができないため、記録媒体を有効に用いることができないという問題があった。【解決手段】  記録媒体を複数の領域に分割し、その領域毎に、領域の空き領域をダミーデータとして書き込み、当該ダミーデータは特定のアプリケーション或いは特定のファイルしか上書きできないように構成することによって、複数の領域分割およびサイズ変更を容易にする。【選択図】  図２
2004355640.tif 000002
【特許請求の範囲】
【請求項１】
記録媒体と該記録媒体へのデータの入出力を管理する記録制御手段とを備える記録装置において、記録媒体において少なくとも１以上の領域を確保し、各領域の空き領域をそれぞれダミーファイルで管理するファイル管理方法であって、
当該領域にファイルを書き込む場合には、当該領域のダミーファイル上にファイルを書き込み、ダミーファイルのサイズを該領域の空き領域のサイズに更新すること特徴とするファイル管理方法。
【請求項２】
前記各ダミーファイルは、所定のアプリケーションからの書き込みのみを可能とすることを特徴とする請求項１に記載のファイル管理方法。
【請求項３】
前記各ダミーファイルは、所定ファイル種別のみの書き込みのみを可能とすることを特徴とする請求項１又は２に記載のファイル管理方法。
【請求項４】
各領域の最後端は常にダミーブロックで構成されることを特徴とする請求項１乃至３のいずれかに記載のファイル管理方法。
【請求項５】
各領域の最先端および最後端は常にダミーブロックで構成されることを特徴とする請求項１乃至４のいずれかに記載のファイル管理方法。
【発明の詳細な説明】
【技術分野】
【０００１】
本発明は、一つの記録媒体に複数のアプリケーションからのファイルの書き込みを行う場合において、記録媒体を複数の領域に分割して利用するファイル管理方法及び装置に関する。
【背景技術】
【０００２】
PC用途やAV用途などの異なったプラットフォームにおいて、共通利用できる汎用のディスク媒体が存在する事は、ユーザにとって大きなメリットがある。例えば、AVディスクレコーダなどで記録されたディスクが、PCに接続したディスクドライブでアクセスできたり、その逆のアクセスが容易に行える事は、AVディスクレコーダで記録したAVデータをPCでアクセスしたり編集したりする事ができ、編集結果などをまたAVディスクレコーダなどで容易に再生できたりする事を意味する。また１つのディスクに、AVデータを記録したり、PCのアプリケーションソフトを入れたりと、AV用途とPC用途とで共有して利用する事も考えられる。
【０００３】
しかし、AV用途で記録されるデータとPC用途で記録されるデータの性質は異なるものである。例えば、ディスクに記録されたAVデータを再生する場合、AVデータをディスクから読み出し、決まった時間にディスプレイに表示をしなければならない。決まった時間に表示ができない場合は、再生画面が途切れ再生画面がおかしくなる事を意味し、許容されるものではない。
【０００４】
ディスク媒体はランダムアクセス性に優れている為、一連のデータであってもディスク上において連続的に配置されている必要はなく、ディスク上の空き領域を有効に利用し、分断して記録されていても構わない。例えばPC用途の場合、文章データファイルがディスク上で分断して記録されていたとしても、そのファイルを読み出す際に各分断点においてシークやトラックジャンプが発生し、その期間ディスクからのデータの読み出しが中断し、連続的にデータが読み出せる場合と比較してデータの読み出し時間が多少かかる程度で、機能面での問題は全く無い。
【０００５】
しかし、AV用途においては前述した通り、再生しようとするデータがディスク上で分断して記録されていると、各分断点でデータの読み出しの中断が発生し、問題が発生する可能性がある。一般的に、ディスクから読み出されたAVデータは一度バッファメモリにある程度貯蓄され、シークやトラックジャンプなどのデータ読み出しの中断が発生したとしても、バッファメモリに貯蓄されたデータで補う事により、即再生画面が途切れる事を防いでいる。しかし、バッファメモリによって再生画面の途切れを吸収するのも、繁雑にシークやトラックジャンプが発生すると対応しきれなくなってしまう。よって、AVデータをディスクに記録する場合は、データの読み出し中断が発生するシークやトラックジャンプが発生しない、データの連続的な記録が望まれる事になる。
【０００６】
ここで、１つのディスクをAV用途とPC用途とで共用で利用する事を考えると、それぞれの用途のデータを、それぞれ異なる領域に記録したいという要求が発生する。これは、連続的にデータを記録したいAVデータが記録されているディスク領域に、AVデータと比較した場合、データ量が遥かに小さいPC用途のデータが無造作に記録されていくと、AVデータの連続記録を妨げる要因となり、場合によってはAVデータの記録再生に支障を与える可能性があるからである。
【０００７】
また、AV用途であっても、記録するデータはAVデータだけではなく、それらを再生するための管理情報ファイルや、静止画像など色々な種類のデータが存在する。同一用途であっても性質の異なるデータを記録するので、記録するデータの種類に応じて領域を分けて管理したいという要求が発生する。例えば、論理ファイルシステムの管理情報を記録する領域、AVデータを再生するための管理情報などを記録する領域、AVデータ自体を記録する領域、静止画を記録する領域と言ったものが考えられる。
【０００８】
１つのディスクを複数の領域に分けて使用するために、従来から、以下のような方法がある。まず、第１に、領域を明確に分けるという意味では、論理ファイルシステムのパーティション機能が存在する。例えばAV用途とPC用途用のパーティションを定義する事によって、それぞれの専用領域を設ける事が可能となる。
【０００９】
図１６に示す例では、ディスクをパーティション1、パーティション2、パーティション3と3つに分割している様子を示している。
【００１０】
第２の方法として、パーティション機能を用いない場合は、AV用途とPC用途の領域を論理ファイルシステムでは管理せずに、実装レベルのアプリケーション層の管理情報として領域を管理する事が考えられる。例えば、それぞれの領域の位置情報を記録した管理情報ファイルをディスクに記録し、そのファイルを読み込む事で領域の位置情報を把握する事が可能となる。図１７に示す例では、AREA．DATというファイルに領域1、領域2、領域3の位置情報が記録されている。よって、AREA．DATというファイルを解釈できるアプリケーションのみが領域の範囲を把握する事が可能となる。
【００１１】
上記した第１の方法とは異なり、ここでの領域１〜３は論理ファイルシステム上では１つのパーティションで構成され、その中で、領域に区分されていることになる。
【００１２】
第３に、1つのファイルやデータを記録する領域を予約すると言った用途で、実際にデータを記録する事なくその領域があたかも使われているかのようにダミーファイルを作成する事も考えられる。図１８にある領域内に記録されるファイルがそれぞれの使用する予定である領域をDUMMY1．DAT、DUMMY2．DAT、DUMMY3．DATという3つのダミーファイルによって確保しているものである。
【００１３】
このようにダミーデータとして、予め記録されるデータと同じサイズのデータを書き込んでおき、所定のデータ種別のファイルを書き込む際に、そのダミーデータを削除して、その位置にファイルを書き込むことによって、データ種別ごとにファイルを連続して書き込むことができる。
【発明の開示】
【発明が解決しようとする課題】
【００１４】
上記した第１の方法では、AV用途とPC用途の領域をそれぞれパーティション機能によって分けそれぞれの専用領域を設ける事ができる。しかしながら、一般的にパーティションは、ディスクを初期化する際にパーティションの数や大きさなどを決めて作成するものであり、使用中にパーティションの構成を変更する事は容易に行なえるものではない。これは、パーティション毎に独立した論理的なアドレスや、空き領域の管理情報などを持っているのが一般的なので、構成を変更する場合は、多くの管理情報の再構成を行う必要があるからである。また、ユーザは初期化時にAV用途とPC用途にそれぞれどれぐらいの領域を確保するかを決めなければならない。しかし、使用していく過程で、どちらかの領域が足りなくなってしまう事が考えられる。
【００１５】
前述の通り、パーティションの大きさなどを変更するのが容易ではないため、例えば、PC用途の領域に空き領域が残っていたとしても、AV用途の領域が一杯になってしまった時点でそれ以上AVデータを記録する事ができなくなり、ディスクを有効に利用する事ができず問題がある。また、同じAV用途においても、論理ファイルシステムの管理情報を記録する領域、AVデータを再生するための管理情報などが記録する領域、AVデータを記録する領域、静止画を記録する領域と言ったように複数の領域に分けて管理を行ないたい場合もあり、これらの領域をそれぞれパーティションで管理を行なうと、パーティションの数が多いため、１つのパーティションが一杯になった場合に、ディスクが空いていたとしても、それ以上データ等が記録できなくなる可能性がそれだけ高くなり問題がある。
【００１６】
第２の方法のように、領域を、論理ファイルシステムで提供するパーティション機能では管理せず、実装レベルのアプリケーション層の管理情報として管理した場合、アプリケーションで領域を管理しているため、想定していないアプリケーションにとっては、この領域の位置情報が記録されている管理情報は何ら意味を持たない。それぞれ確保された領域は、論理ファイルシステムレベルで確保されているわけではないため、想定するアプリケーションのみでそのディスクを使用する場合は問題無いが、想定外のアプリケーションからアクセスされた場合は、領域を認識することができないため、確保した領域内に想定外のデータが記録される可能性があり、問題がある。
【００１７】
また、第３の方法のように、1つのファイルやデータを記録する領域を予約するためにダミーファイルを使う事により、領域を確保する事が可能である。この方法においては、例えば管理情報を記録するための連続領域を確保したい場合、今後記録されるファイルの大きさ、数を予測し、それと同じサイズ、数のダミーファイルを記録することで領域を確保しなければならない。よって、基本的にはファイルの想定される最大サイズでダミーファイルを作成することになり、実際書き込まれるファイルがダミーファイルのサイズより小さい場合、無駄が多く発生するという問題がある。
【００１８】
図１８に示す領域１において、書き込まれるファイルのサイズがそれぞれ１Ｍであると想定した場合、１Ｍのサイズのダミーファイルが作成されることになる。ここに０．８Ｍのファイルを書き込む場合は、まず最初のダミーファイル（DUMMY1．DAT）の位置に０．８Ｍのデータが書き込まれ、次に０．９Ｍのデータが書き込まれる場合は、次のダミーファイルの位置（DUMMY2．DAT）の位置に書き込まれるために、０．１Ｍの無駄な部分が発生するということになる。また、書き込まれるファイルのサイズが予測できない（最大サイズが見込めない）場合には、対応できないという問題がある。
【００１９】
そこで、本願発明は上記３つの方法における課題を解決するものであり、論理ファイルシステムによるパーティションの区分を行うことなく、所定の領域内に、所望のデータ以外が書き込まれることを防止することが可能となる。
【課題を解決するための手段】
【００２０】
本発明は、記録媒体と該記録媒体へのデータの入出力を管理する記録制御手段とを備える記録装置において、記録媒体において少なくとも１以上の領域を確保し、各領域の空き領域をそれぞれダミーファイルで管理する方法であり、当該領域にファイルを書き込む場合には、当該領域のダミーファイル上にファイルを書き込み、ダミーファイルのサイズを該領域の空き領域のサイズに更新することで上記課題を解決するものである。
【発明の効果】
【００２１】
本発明によれば、確保した連続領域内の未使用部分を管理するようにダミーファイルを作成する事によって、この領域を使用するアプリケーション以外にとって、この領域内は全て使用されているものとして扱われ、データが書き込まれる事を抑制することが可能となる。
【００２２】
また、ダミーファイルを規定したアプリケーションにとっては、ダミーファイルのファイルサイズや位置情報を取得する事によって、容易に確保した領域内の未使用箇所の大きさや位置を把握する事が可能となり領域内でのファイル作成や更新が容易に行える事になる。
【００２３】
また、ダミーファイルを理解できるアプリケーションが複数のメーカー等によって実装されている場合、必ずしも確保する連続領域の大きさが同一であるとは限らない。この場合にも、ダミーファイルの情報を参照するだけで、未使用部分を把握できるのでメーカー間の互換も取る事が可能となる。
【００２４】
また、論理ファイルシステムの機能であるパーティション機能を使っていないので、パーティションの大きさなどを変更する事と比較して、ダミーファイルの更新といった単純な処理だけで領域の大きさを変更することが可能となる。確保した連続領域の範囲を知る必要がある場合は、必要に応じて連続領域の最後尾あるいは先頭と最後尾の両方の論理ブロックをダミーファイルで管理する事によって、容易に管理している連続領域の範囲を把握することが可能となる。
【発明を実施するための最良の形態】
【００２５】
以下、本発明の領域管理方法に関する実施形態について、図面とともに詳細について説明する。本実施例は、ディスク装置として、AV記録再生を目的としたディスクを用いた携帯型のビデオカメラやビデオデッキ、PCに接続された外部記憶装置などを想定するものである。ディスク媒体は、リムーバブルディスクが好ましいが、ハードディスクなどの据え付け型であっても構わない。また、説明の都合上ディスクに用いる論理ファイルシステムとしてOSTA（Optical  Storage  Technology  Association）の規格であるUDF（Universal  Disk  Format）を想定するが、その他の汎用論理ファイルシステムであっても構わない。
【００２６】
一般的なディスク装置の構成を図１に示す。データ入力出力部１はカメラなどから入力される映像信号を取り込んだり、再生するデータをモニタ等に出力したりする。データ処理部2は、例えばMPEG符号をエンコードしたり、デコードしたりする信号処理等を行う処理部であり、処理されたデータはメモリ3に格納される。データを記録する場合は、ディスク制御部5において、ディスク6を制御しディスク上の目的の箇所にデータが記録され、再生時には、ディスク6を制御しディスク上の目的の箇所からデータが読み出されてメモリ3に格納される。各処理部はシステム制御部4によって制御される。
【００２７】
このようなディスク装置において、ディスクの領域を分割して管理したい場合は、論理ファイルシステムにおけるパーティション機能を用いるのが一般的である。しかし、前述したように、一度パーティションを区切ってしまうとパーティションの大きさを変更したり、あるパーティションを他のパーティションと連結させて大きさを拡大すると言った事は容易に行なえない。本実施例ではパーティション機能によっての領域の分割は行なわないので、図２に示すようにディスクのユーザ領域全域を管理するように1つのパーティションを作成する。作成したパーティション内に、ある特定の情報を記録するための領域を定義するものとする。パーティション機能を利用しない事と、汎用ファイルシステムであるUDFを用いるため、1つのパーティション内に複数の領域を管理するような論理ファイルシステムレベルの管理情報は存在しない。ここで重要になってくるのが、1つのディスクを複数のプラットフォームで使用する可能性がある事である。例えば、AV用途で記録されたディスクをPCのドライブでアクセスしたりする事が考えられる。従って、AVアプリケーションと言った特定のアプリケーションのみで理解できるような情報での領域確保だけでは不十分である。つまり、ある特定の情報を記録するための領域を定義するという事は、AV用途においてデータの種類に応じた記録領域を管理するだけではなく、PCアプリケーションなどからのアクセスがあったとしても、確保された領域への書き込みを抑制しなければならない事を意味する。これを実現するためには、確保された領域が論理ファイルシステムから見た場合に既にデータが記録されており、使われているものとして見えなければならない。
【００２８】
そこで、本発明では任意の数のある特定の情報を記録するための連続領域を確保するために、領域内においてデータが記録されておらず未使用な部分を管理する形でダミーファイルを作成するものとする。つまり、領域内の未使用部分にダミーファイルが管理するディスク上のデータがあたかも書き込まれているかのようにするわけである。
【００２９】
UDFでは、ボリュームレベルの管理情報とファイルシステムレベルの管理情報に分かれ、ここでは関連するファイルシステムレベルの管理情報について簡単に説明する。ボリュームレベルの管理情報によって定義されるパーティション内において、空き領域を管理するSpace  Bitmap  Descriptorと、パーティション内のディレクトリ構造の基本情報やROOTディレクトリを管理するFile  Entryへのポインタ情報を含むFile  Set  Descriptor、File  Set  Descriptorが終了した事を示すTerminating  Descriptor、ROOTディレクトリのFile  Entryがファイルシステムレベルの管理情報として基本的に記録される。
【００３０】
Space  Bitmap  Descriptorとは、パーティション内で管理する全ての論理ブロックに対して１bitをそれぞれ割り当て、対応する論理ブロックが使われているか使われていないかを、bit情報が0か1かで判断するものである。ここでの論理ブロックとは、ファイルシステムにおける最小アクセス単位であり、UDFパーティション内において各論理ブロックに対して昇順に論理ブロック番号が付加される。
【００３１】
ディレクトリが定義されると、ディレクトリを管理するFile  Entryがディレクトリ内に含まれるファイルやディレクトリに対応するFile  Identifier  Descriptorの集合の記録位置を管理する事になる。File  Identifier  Descriptorには、ファイルやディレクトリの名前や属性情報と対応するFile  Entryが記録されているアドレス情報が格納される。File  Entryには、日付などの属性情報とこのファイル（File  Entry）が管理しているディスク上のデータの位置情報、あるいはディレクトリの場合には、ディレクトリ情報（File  Identifier  Descriptorの集合）が記録されている位置情報を管理している。このように、File  EntryとFile  Identifier  Descriptorを辿って行く事によってディレクトリ階層を把握する事が可能となる。またこれらの情報は、UDFファイルシステムの管理情報であり、通常はデバイスドライバが利用するだけで、通常はユーザから見えない情報となる。図４にUDFにおけるディレクトリ階層を表現するためのFile  EntryとFile  Identifier  Descriptorの関係を示す。
【００３２】
ダミーファイルによる領域確保の1つの例として、図２に、任意の数のある特定の情報を記録するための連続領域として領域1、2、3を定義し、連続領域2にファイルであるFILE1．DAT、FILE2．DAT、FILE3．DATが記録されている様子を示す。実際のディスクでは、FILE1．DATに対応するUDFの管理情報であるFE（File  Entry）とデータ自体であるFile1が記録されている。この例ではファイルの管理情報であるFE（File  Entry）へのポインタ情報を含むFile  Identifier  Descriptorは例えば領域1の中に記録されているものとして図示しない。
【００３３】
ディスク上の位置情報は、開始論理ブロック番号と論理ブロック数を示すAllocation  Descriptorの集合で管理される。つまり、1つのファイル（File  Entry）で管理するデータがディスク上で連続的に記録されている場合、Allocation  Descriptorは1つ、2つに分断して記録されている場合はAllocation  Descriptor  2つによってファイルの位置情報を管理する事になる。
【００３４】
FILE1．DATと同様にFILE2．DAT、FILE3．DATに対応するFE（File  Entry）と対応する実データが確保されている連続領域に記録されている。ここで、確保した連続領域内でデータが記録されていない未使用な部分に、ダミーファイルDUMMY1．DATを作成する。つまり未使用部分にデータがあたかも書き込まれているようにダミーファイルDUMMY1．DATを作成し、FE（File  Entry）のAllocation  Descriptorで管理するわけである。また、UDFファイルシステムの管理情報で空き領域を管理するSpace  Bitmap  Descriptorに関してもダミーファイルDUMMY1．DATの管理している部分は使われているものとして扱う。
【００３５】
また、使用過程において、例えば図３におけるFILE2．DATが削除された場合、通常はFILE2．DATに対応するFE（File  Entry）とデータが記録されていた箇所はSpace  Bitmap  Descriptorによって未使用な部分であるとし、解放される。しかし本発明では、図に示すように削除された部分は解放せずに、前述したダミーファイルDUMMY1．DATが管理する部分として扱う。この際、DUMMY1．DATのFE（File  Entry）内のAllocation  Descriptorを更新して、DUMMY1．DATが２つの分断から構成されるファイルとする事になる。
【００３６】
ダミーファイルを作成するのにあたって、確保した連続領域を利用するアプリケーションが理解できるダミーファイルの名前を規定しておく。図の例では、確保した連続領域内でのダミーファイルはDUMMY1．DATとして規定されている。つまり、あるアプリケーションからみると、このDUMMY1．DATは空き領域であると理解するのである。
【００３７】
このように常に、確保した連続領域内の未使用部分を管理するようにダミーファイルを作成する事によって、この領域を使用するアプリケーション以外にとって、この領域内は常に全て使用されているものとして扱われ、データが書き込まれる事はない。また、他のアプリケーションからのデータの書き込みを抑制するだけではなく、ダミーファイルを規定したアプリケーションにとっては、ダミーファイルの情報を取得する事によって、容易に確保した領域内の未使用部分の大きさや位置を把握する事ができるという効果もある。例えば、未使用部分の大きさは、ダミーファイルのファイルサイズを参照すればわかり、位置情報はダミーファイルのFE（File  Entry）内のAllocation  Descriptorを参照する事によって容易に把握する事が可能である。つまり、ダミーファイルがそのまま、確保した領域内の未使用部分になるわけである。
【００３８】
また、ダミーファイルを理解できるアプリケーションが複数のメーカーによって実装されている場合、各メーカー間で必ずしも確保する連続領域の大きさが同一であるとは限らない。この場合にも、ダミーファイルの情報を参照するだけで、確保している領域内の未使用部分を把握できるので領域の大きさを規定しなくてもメーカー間の互換も取る事が可能となる。また、必要に応じて、領域内に記録されるべきファイルとダミーファイルの情報から、領域の大きさを把握する事が可能となる。
【００３９】
ここで、新規に特定の情報を記録するための所定サイズの連続領域を確保する場合の処理について詳細を図５に示すフローチャートを用いて説明する。ステップS1において、連続領域を確保する要求が発生すると、ステップS2において、UDF論理ファイルシステムの管理情報であるSpace  Bitmap情報を参照する事によってディスク上の空き領域を把握する。ステップS3において、確保しようとする連続領域がディスク上の任意の箇所に確保できない場合は、ステップS5においてエラー処理を行ない処理を終了する。また、ステップS3において、確保しようとする連続領域がディスク上の任意の箇所に確保できる場合は、ステップS4において、確保する連続領域を管理する形でダミーファイルを作成し処理を終了する。具体的にはダミーファイルが作成されるディレクトリのディレクトリ情報にダミーファイルのFile  Entryへのポインタ情報である、File  Identifier  Descriptorを追加し、ダミーファイルのデータの位置情報や属性情報を管理するFile  Entryを記録する。この際、File  Entry内のAllocation  Descriptorに、確保した領域の位置情報である開始論理ブロック番号と論理ブロック数を記録する。
【００４０】
ここで、実際にファイル作成要求が発生した場合の処理について説明する。ファイル作成要求があった場合、そのファイルをどの領域に書き込むことが可能であるかを判断する。例えば、図２に示すように領域１、領域２、領域３・・・と領域を分割している場合に、あるAVアプリケーションがファイルの書き込み要求をした場合、領域１に書き込むように対応づけられているとする。この判断は、例えばAVアプリケーションはDUMMY1．DATの位置に書き込むように、AVアプリケーション自体に定義しておくことによって行われる。例えば、AVアプリケーション以外のPCアプリケーションなどは、DUMMY1．DAT上に書き込むことはなく、他の領域などに書き込むことになる。
【００４１】
また、各アプリケーションにファイル種別に応じて書き込む領域（ダミーデータとの対応）を定義しておくことにより、例えばvideoデータはDUMMY1．DAT上に書き込むこととし、audioデータはDUMMY2．DAT上に書き込むように制御することも可能である。
【００４２】
つまり、所定のアプリケーションを所定の領域に書き込む、或いは所定の種別のファイルを所定の領域に書き込むことが可能となる。
【００４３】
次に、書き込む領域が決定した後、ダミーファイルによって確保された領域内にファイルを作成する場合の処理について詳細を図６に示すフローチャートを用いて説明する。
【００４４】
ステップS10においてファイル作成要求が発生すると、ステップS11においてダミーファイルの情報を取得する。具体的には、ダミーファイルとして規定されたファイル名より、対応するFile  Entryを参照しその情報よりダミーファイルのファイルサイズや位置情報を把握する。ステップS12において、ダミーファイルのファイルサイズ、つまり確保した領域中の空きサイズが作成しようとしているファイルのサイズより大きいかどうかを判定する。ダミーファイルのサイズが作成しようとしているファイルのサイズより小さい場合は、確保された領域にファイルを作成するスペースがないので、ステップS15においてエラー処理を行ない、処理を終了する。ステップS12において、ダミーファイルのサイズが作成しようとしているファイルのサイズより大きい場合は、確保された領域にファイルが作成できるので、ステップS13において、ダミーファイルが管理する空き部分にファイルを作成する。
【００４５】
具体的には、作成するファイルが含まれるディレクトリのディレクトリ情報に、ファイルを管理するFile  Entryへのポインタ情報であるFile  Identifier  Descriptorを追加し、ファイルのデータの位置情報や属性情報を管理するFile  Entryを記録する。ステップS14において、ダミーファイルのFile  Entryを更新し処理を終了する。この際、File  Entry内のAllocation  Descriptor情報から、新規作成したファイルに割り当てた部分を差し引く形で更新する。
【００４６】
ダミーファイルによって確保された領域内に存在するファイルのサイズの変更を伴う更新が発生する場合の処理について詳細を図７に示すフローチャート用いて説明する。
【００４７】
ステップS20において、ファイルサイズ変更を伴うファイル更新要求が発生すると、ステップS21においてファイルのサイズが大きくなるのか小さくなるのかを判定する。ファイルのサイズが縮小される場合は、ステップS28において、縮小するファイルのFile  EntryのAllocation  Descriptorを縮小したデータを管理するように更新する。ステップS29においてダミーファイルのFile  EntryのAllocation  Descriptorに縮小したファイルの箇所を追加する形で更新し処理を終了する。サイズが拡張される場合は、ステップS22においてダミーファイルの情報を取得し、確保されている領域内の空き部分を把握する。ステップS23において、ダミーファイルのサイズつまり確保されている領域内の未使用スペースの大きさと新たにファイルとして拡張されるデータサイズの比較を行なう。ダミーファイルのサイズの方が大きい場合、つまり確保された領域内に十分な空き部分がある場合、ステップS24において、ダミーファイルの管理する未使用スペースに拡張するデータを記録する。ステップS25において、拡張したファイルのFile  EntryのAllocation  Descriptorを更新する。ステップS26においてダミーファイルのFile  EntryのAllocation  Descriptorを更新し処理を終了する。ステップS23において、ダミーファイルのサイズより拡張するデータのサイズが大きい場合、つまり拡張するだけの空きスペースが残っていない場合は、ステップS27においてエラー処理を行ない処理を終了する。
【００４８】
ダミーファイルによって確保された領域内に存在するファイルを削除する場合の処理について詳細を図８に示すフローチャート用いて説明する。ステップS30において、ファイル削除要求が発生すると、ステップS31おいてファイルの削除処理を行なう。具体的には、削除するファイルが含まれているディレクトリのディレクトリ情報から対応するFile  Identifier  Descriptorを削除する。ステップS32においてダミーファイルのFile  Entryを更新し処理を終了する。具体的には、削除したファイルが記録されていた部分を管理するように、ダミーファイルのAllocation  Descriptorを更新する。
【００４９】
ダミーファイルによって確保された領域が足りなくなったりした事により、領域の大きさを拡張したい場合の処理について詳細を図９に示すフローチャート用いて説明する。
【００５０】
ステップS40において、領域拡張要求が発生すると、ステップS41においてSpace  Bitmapよりディスクの空きスペースを把握する。ステップS42において、拡張する領域の隣接箇所に拡張したいだけの連続領域が存在するかどうかを判定する。存在する場合はステップS44においてダミーファイルのFile  Entryをその拡張領域も含める形で更新する。隣接箇所に確保したいだけの連続領域が無い場合は、図５に示した連続領域確保処理を行ない処理を終了する。この場合は、拡張する領域が既存の領域と連続的では無くなる。もし連続領域でなければならない場合は、ステップS43において連続領域確保処理を行なわず、エラー処理を行なって処理を終了しても構わない。図１０にある領域を拡張した場合の例を示す。この例では、領域1にFILE1．DAT、FILE2．DAT、FILE3．DATを記録し空き領域が無くなり、隣接した箇所を利用して領域を拡張しようとしたが、既に隣接領域2が確保されていた関係で、ディスク上の他の連続領域を確保した例である。領域1のダミーファイルはDUMMY1．DATというファイル名で、領域1の拡張領域はDUMMY2．DATというダミーファイルによって空きスペースが管理されている。ここで、ファイル名が規定されているので、DUMMY2．DATが存在する場合はディスク上の非隣接箇所に拡張した連続領域がある事を把握する事が可能となる。また、既存の連続領域を拡張したい場合に、隣接箇所が使われているために連続的に拡張できない場合、隣接するデータをディスク上の他の箇所へ移動し、領域を空けて連続的な拡張を行っても良い。
【００５１】
このように、論理ファイルシステムの機能であるパーティション機能を使っていないので、パーティションの大きさなどを変更する場合と比較して、ダミーファイルの更新だけで領域の大きさを変更することが可能となるので、遥かに単純な処理で行える。
【００５２】
なお、定義する連続領域においてダミーファイルで空きスペースを管理する際、図１１に示すように必ず連続領域の最後の論理ブロックをダミーファイルで管理しなければならないという制限を付けても良い。つまり、連続領域において最後の1論理ブロックは、ダミーファイルが管理するスペースとして常に確保する。よって、連続領域として確保したい大きさに、1論理ブロックとダミーファイルを管理するFile  Entryを記録する1論理ブロックの計2論理ブロックを余分に確保しておく事になる。よって、ダミーファイルDUMMY1．DATを管理するFile  Entry内のAllocation  Descriptorの中で、一番大きい論理ブロック番号が確保している連続領域の最後尾という事になる。このように構成することによって、連続領域の最後までデータファイルが記録された場合に、連続領域の境界がわからなくなるということを防止し、連続領域の境界の把握を容易に行うことが可能となる。
【００５３】
また確保する連続領域内に記録されるファイルが決まっている場合は、それらのFile  Entry内のAllocation  Descriptorとダミーファイルの情報から連続領域の範囲を把握する事が可能であるが、その連続領域に記録されるファイル名などが決まっていない場合は、ファイル名からどの連続領域に記録されているデータであるかを判断することができないため、ダミーファイルによって空きスペースは把握する事が可能であるが、確保された連続領域の範囲を把握する事はできない。よってこのような場合、図１２に示すように必ず連続領域の先頭と最後尾の論理ブロックをダミーファイルで管理しなければならないという制限を付けても良い。つまり、連続領域において先頭と最後尾の1論理ブロックは、ダミーファイルが管理するスペースとして常に確保する。よって、連続領域として確保したい大きさに余分に2論理ブロックとダミーファイルのFile  Entryを記録する1論理ブロックの計3論理ブロックを確保しておく事になる。
【００５４】
あるいは、図１３に示すように、確保する連続領域の先頭はダミーファイルを管理するFile  Entryでなければならず、最後尾の1論理ブロックはダミーファイルが管理するスペースとして確保するようにしても構わない。このように構成することによって、ダミーファイルDUMMY1．DATを管理するFile  EntryのAllocation  Descriptorの中で一番小さい論理ブロック番号あるいはダミーファイルのFile  Entry自体が記録されている論理ブロック番号が確保している連続領域の先頭位置となり、一番大きい論理ブロック番号が逆に連続領域の最後尾の位置となり、管理している連続領域の範囲を容易に把握する事が可能となる。
【００５５】
ここで、本発明の実際の適用例について図１４を用いて説明する。この図では、AVデータを記録するAV用途における領域管理の一例である。まず、領域としてファイルシステム管理情報領域、アプリケーション管理情報領域、データ領域に分割して管理するものとする。ファイルシステム管理情報領域には、UDFファイルシステムにおける基本管理情報である、Space  Bitmap  Descriptor（SBD）、File  Set  Descriptor（FSD）、Terminating  Descriptor（TD）とAVアプリケーションによって規定されるディレクトリのFile  Entry（FE）と、ディレクトリ内に定義されるファイルやディレクトリを管理するFile  Entryへのポインタ情報である、File  Identifier  Descriptor（FID）を記録するものとする。この図の例では、ROOTディレクトリ、AVデータの管理情報を記録するAVMANディレクトリ、AVデータを記録するAVDATディレクトリを管理するFile  Entryと、それぞれのディレクトリ内で定義されるファイルのFile  Identifier  Descriptor（FID）の集合が記録されている。そして、ダミーファイルLOGI．DMYがファイルシステム管理情報領域における未使用部分を管理している。
【００５６】
アプリケーション管理情報領域は、AVデータを再生するための管理情報などのAVアプリケーションの管理情報が記録される領域である。この領域には、AVデータの管理情報である、AVINFO1．DATおよびAVINFO2．DATが記録されており、ディスクにはそれぞれに対応するFile  Entryとデータの実体が記録されている。ファイルシステム管理情報領域と同様に、ダミーファイルAPPL．DMYがアプリケーション管理情報領域における未使用部分を管理している。このような構成のディスクをユーザがアクセスすると、図１５に示すようなディレクトリ階層として見える事になる。
【００５７】
データ領域には、AVデータであるAV1．DATおよびAV2．DATが記録されており、ディスクにはそれぞれに対応するFile  Entryとその実体が記録されている。この図の例では、データ領域に関しては、ダミーファイルによるデータ領域の領域確保は行なっていないが、必要に応じてダミーファイルを定義して領域を確保しても構わない。
【００５８】
このように、ファイルシステム管理情報領域の未使用箇所は、ダミーファイルLOGI．DMYによって管理され、アプリケーション管理情報領域の未使用箇所はダミーファイルAPPL．DMYによって管理されており、これらの領域を使用するAVアプリケーションにとっては、それぞれ対応する領域の空き領域を管理しているものとして扱われる。例えばこのような状況のディスクをPCに接続されたディスクドライブでアクセスした場合には、ファイルシステム管理情報領域とアプリケーション管理情報領域には、空きスペースが無い状態でファイルが記録されているように扱われるため、領域が確保されているのと等価になる。よって、これらの領域にデータが書き込まれる事が無くなる。
【００５９】
また、この時PCアプリケーションからAVアプリケーションで使用しているディレクトリやAVデータの管理情報などが削除されては困るので、これらのファイルやディレクトリの属性として書き込み禁止を設定しても良い。つまり、PCアプリケーションはデータ領域の空き領域にしか書き込むことができないこととなる。また、当然ダミーファイル自体が削除されても困るので、同様に書き込み禁止属性を設定しても良い。またダミーファイルはPCアプリケーションから見えないようにするために、隠しファイル属性を設定しても良い。仮にダミーファイルが誤って消されてしまった場合には、現在定義されているファイルやディレクトリの論理ファイルシステムの管理情報と空き領域を管理しているSpace  Bitmap  Descriptorの情報からダミーファイルを再構築する事も可能である。
【図面の簡単な説明】
【００６０】
【図１】本発明における一実施形態であるディスク装置の構成を示すブロック図である。
【図２】本発明の領域管理方法の実施形態においてダミーファイルによって領域を確保している様子を示す説明図である。
【図３】本発明の領域管理方法の実施形態においてファイルが削除された際のダミーファイルの様子を示す説明図である。
【図４】本発明の領域管理方法の実施形態においてUDF管理情報の関係を示す説明図である。
【図５】本発明の領域管理方法の実施形態において連続領域を確保する処理の流れを示すフローチャートである。
【図６】本発明の領域管理方法の実施形態において確保した連続領域内にファイルを作成する際の処理の流れを示すフローチャートである。
【図７】本発明の領域管理方法の実施形態において確保した連続領域内のファイルの大きさの変更を伴う更新がある場合の処理の流れを示すフローチャートである。
【図８】本発明の領域管理方法の実施形態において確保した連続領域内のファイルを削除する際の処理の流れを示すフローチャートである。
【図９】本発明の領域管理方法の実施形態において確保した連続領域を拡張する際の処理の流れを示すフローチャートである。
【図１０】本発明の領域管理方法の実施形態において確保した連続領域を拡張する際の例を示す説明図である。
【図１１】本発明の領域管理方法の実施形態において領域内のダミーファイルが必ず最後の論理ブロックを管理する様子を示す説明図である。
【図１２】本発明の領域管理方法の実施形態において領域内のダミーファイルが必ず先頭と最後の論理ブロックを管理する様子を示す説明図である。
【図１３】本発明の領域管理方法の実施形態において領域内のダミーファイルが必ず最後の論理ブロックを管理し、ダミーファイルのファイルエントリが最初の論理ブロックに配置される様子を示す説明図である。
【図１４】本発明の領域管理方法の実施形態における実際の適用例を示す説明図である。
【図１５】本発明の領域管理方法の実施形態において図１２の例のディレクトリ階層を示す説明図である。
【図１６】従来技術におけるパーティションによる領域確保の様子の説明図である。
【図１７】従来技術における領域の位置情報を記録するファイルによる領域確保の様子の説明図である。
【図１８】従来技術におけるファイル単位でのダミーファイルによる領域確保の様子の説明図である。
【符号の説明】
【００６１】
１  データ入出力部
２  データ処理部
３  メモリ
４  システム制御部
５  ディスク制御部
６  ディスク
【図１】
2004355640.tif 000003
【図２】
2004355640.tif 000004
【図３】
2004355640.tif 000005
【図４】
2004355640.tif 000006
【図５】
2004355640.tif 000007
【図６】
2004355640.tif 000008
【図７】
2004355640.tif 000009
【図８】
2004355640.tif 000010
【図９】
2004355640.tif 000011
【図１０】
2004355640.tif 000012
【図１１】
2004355640.tif 000013
【図１２】
2004355640.tif 000014
【図１３】
2004355640.tif 000015
【図１４】
2004355640.tif 000016
【図１５】
2004355640.tif 000017
【図１６】
2004355640.tif 000018
【図１７】
2004355640.tif 000019
【図１８】
2004355640.tif 000020